(57)【要約】【課題】本願発明は、従来の技術では導電性繊維の切れや抜けが生じ、さらに放電時の発生イオンの広範囲拡散が不完全であるという欠点を解決したもので、導電性繊維の切れや抜けを低減し、発生イオンの広範囲拡散を可能にしたカシメ構造、及び品質の安定を図った放電ブラシ電極、及びその製造方法を提供するものである。【解決手段】高電圧が印加されてイオンを発生する放電電極として用いられるブラシ電極において、平板状金属板からなる基板に複数の導電性繊維の束を加締めるカシメ部９を設け、前記複数の導電性繊維の根元部分を束ねて保持する保持部材１において、該保持部材１のカシメ部９は端部内面側を面取りし、前記カシメ部の外側側面部に１ヶ所以上の絞り込み部５を設け、さらに前記カシメ部の内側に凹凸加工７を施し、カシメ部９の突合わせ部を重複当接させた放電ブラシ電極。【選択図】図４
2021124589.tif 000002
【特許請求の範囲】
【請求項１】
高電圧が印加されてイオンを発生する放電電極として用いられるブラシ電極において、平板状金属板からなる基板に複数の導電性繊維の束を加締めるカシメ部を備え、前記複数の導電性繊維の根元部分を束ねて保持する保持部材において、該保持部材のカシメ部は前記導電性繊維を束ね当接する端部を内面側に面取りしたことを特徴とする放電ブラシ電極。
【請求項２】
前記カシメ部は、前記導電性繊維を束ねる前記保持部材の側面部に１ヶ所以上絞り込み部を設けたことを特徴とする請求項１記載の放電ブラシ電極。
【請求項３】
前記カシメ部は、前記導電性繊維を束ねる前記保持部材のカシメ部内面に凹凸加工を施したことを特徴とする請求項１、または請求項２に記載の放電ブラシ電極。
【請求項４】
前記カシメ部は、前記導電性繊維を束ねる前記保持部材のカシメ部の突合わせ部の端部同士を前記平板状金属板の厚みと同様となるように重複当接させたことを特徴とする請求項１〜請求項３のいずれか１項に記載の放電ブラシ電極。
【請求項５】
高電圧が印加されてイオンを発生する放電電極として用いられるブラシ電極において、平板状金属板からなる基板に複数の導電性繊維の束を加締めるカシメ部を備え、前記複数の導電性繊維の根元部分を束ねて保持する保持部材において、該保持部材のカシメ部は、前記導電性繊維を束ねる前記保持部材の側面部に１ヶ所以上の絞り込み部構造を有することを特徴とする放電ブラシ電極。
【請求項６】
高電圧が印加されてイオンを発生する放電電極として用いられるブラシ電極において、平板状金属板からなる基板に複数の導電性繊維の束を加締めるカシメ部を備え、前記複数の導電性繊維の根元部分を束ねて保持する保持部材において、該保持部材のカシメ部は、前記導電性繊維を束ねる前記保持部材のカシメ部内面に凹凸加工を有することを特徴とする放電ブラシ電極。
【請求項７】
高電圧が印加されてイオンを発生する放電電極として用いられるブラシ電極において、平板状金属板からなる基板に複数の導電性繊維の束を加締めるカシメ部を備え、前記複数の導電性繊維の根元部分を束ねて保持する保持部材において、該保持部材のカシメ部は、前記導電性繊維を束ねる前記保持部材のカシメ部の突合わせ部の端部同士を前記平板状金属板の厚みと同様となるように重複当接した構造を有することを特徴とする放電ブラシ電極。
【請求項８】
高電圧が印加されてイオンを発生する放電電極として用いられるブラシ電極において、平板状金属板からなる基板に複数の導電性繊維の束を加締めるカシメ部を備え、前記複数の導電性繊維を束ねて保持する保持部材において、該保持部材のカシメ部は前記導電性繊維の束の中央部を当接保持したことを特徴とする請求項１から請求項７までのいずれか１項に記載の放電ブラシ電極。
【請求項９】
高電圧が印加されてイオンを発生する放電電極として用いられるブラシ電極において、平板状金属板からなる基板に複数の導電性繊維の束を加締めるカシメ部を備え、前記カシメ部が前記平板状金属板からなる基板に分岐し、複数個配置されていることを特徴とする請求項１から請求項８までのいずれか１項に記載の放電ブラシ電極。
【請求項１０】
前記導電性繊維が、少なくともカーボン繊維、ステンレス繊維、ニッケルチタン繊維、アモルファス繊維、タングステン繊維、化繊系導電性繊維のいずれかを含むことを特徴とする請求項１〜請求項９のいずれか１項に記載の放電ブラシ電極。
【請求項１１】
請求項１から請求項１０のいずれか１項に記載の放電ブラシ電極を備えたイオン発生装置。
【請求項１２】
高電圧が印加されてイオンを発生する放電電極として用いられるブラシ電極において、平板状金属板からなる基板に複数の導電性繊維を束状に加締めるカシメ部構造にプレス加工する工程と、前記複数の導電性繊維を加締め当接するカシメ部の保持部材の内面部に面取り加工をする工程と、前記保持部材の側面部に１ヶ所以上の絞り込み部を加工する工程と、前記保持部材のカシメ部内面に凹凸加工する工程と、前記保持部材のカシメ部の突合わせ部の端部同士を前記平板状金属板の厚みと同様となるように重複当接される構造に加工する工程と、前記カシメ部の保持部材を加締め変形させることで、前記保持部材に前記複数の導電性繊維の根元部分を束ね保持させる工程と、保持した前記複数の導電性繊維を洗浄する工程により、電極を製造することを特徴とする放電ブラシ電極の製造方法。
【発明の詳細な説明】
【技術分野】
【０００１】
本発明は、平板状金属板から成る導電金属端子に、複数の導電性繊維をブラシ束状に加締めた放電ブラシ電極、及び放電ブラシ電極の製造方法に関するものである。
【背景技術】
【０００２】
従来から、空気の浄化、殺菌、除菌又は脱臭、浮遊粒子の帯電分離を行う空気清浄装置や電子写真の帯電装置や除電装置など多岐にわたる電気機器分野にて放電電極を備えたイオン発生装置が搭載されており、対象物に対して、イオン化、帯電、除電を目的に利用されている。
特開２０１７−１５２４１１号公報（特許文献１）には、複数の糸状の導電体を束ねたブラシ電極が、導電体同士の電気的な反発によってブラシの先端が開いた形状に曲げ変形しているため、導電体の領域の面積が増大し、針状の放電電極と比較して、イオンの発生領域が増大できること、などが開示されている。さらに、ブラシ電極の複数の糸状導電体が大きく曲がることが開示されている。
また、国際公開２０１８−１０９９８９号公報（特許文献２）には、ブラシ状電極を有するイオン発生ユニットを備えた冷蔵装置が開示されている。特許文献２によると、ブラシ状電極を構成する導電体は数μｍ〜数十μｍと細く、通電及び断電によって導電体が繰り返し撓り、長時間の使用によって導電体が外れる可能性、および外れた導電体が放電電極間に付着する影響、などが開示されている。
また、特開２０１７−２１９８２号公報（特許文献３）には、ブラシ電極の保持部材の構成が開示されている。特許文献３によると、ブラシ電極は、複数の導電性繊維と、複数の導電性繊維の根元側の部分を束ねて保持する保持部材とを含み、保持部材は、中間部と、中間部から互いに逆方向に延在し、加締め変形されることで中間部とともに複数の導電性繊維の根元側の部分の周囲を取り囲むように配置される第１保持部および第２保持部とを有する。複数の導電性繊維の根元側の部分が延びている方向を軸方向とすると、第１保持部および第２保持部は、上記軸方向において互いに重なるように配置され、保持部で保持したブラシ電極により構成されたものが存在している。
また、特開２０１７−１４４２４４号公報（特許文献４）には、カーボン繊維を束ねたブラシ電極が開示されている。特許文献４には、導電性繊維のカシメ部上部に左右に突起を設け、この突起部分を左右からしぼめ、電極幅の広いタイプの放電ブラシを得ることができ、放電範囲を拡大すること、などが開示されている。
【先行技術文献】
【特許文献】
【０００３】
【特許文献１】特開２０１７−１５２４１１号公報
【特許文献２】国際公開第２０１８／１０９９８９号公報
【特許文献３】特開２０１７−２１９８２号公報
【特許文献４】特開２０１７−１４４２４４号公報
【発明の概要】
【発明が解決しようとする課題】
【０００４】
従来のイオン発生用のブラシ電極は、長時間の繰り返し放電による導電性繊維の広がり時や、ブラシ電極製造時や使用中での付着した異物除去のための洗浄（ブラッシング洗浄）における負荷によって、カシメ部の内部上端への接触・擦れの繰り返しでの導電性繊維の切れが発生する。また保持部材のカシメ合わせ部形状が起因して、ブラシ電極製造時に導電性繊維が巻き込まれることにより、カシメ合わせ部より、はみ出す繊維や、加締め形状が真円形状にならない不安定さから、導電性繊維の束に均一に加締め圧がかからず、抜け落ち脱落してしまう恐れがある。例えば複数の導電性繊維の根元側の部分を束ねて保持部材で加締めて保持しているため、保持部材のカシメ内部の直角になっているエッジが、複数の導電性繊維に接触を繰り返すことで、複数の導電性繊維の一部が根元部分から切れる恐れがあるという課題があった。
また、保持部材の上部は、加締めた際、直角状にエッジになっているために複数の導電性繊維がカシメ部内面の端まで接触しており、放電時の導電性繊維の広がりを、より大きくすることが難しいという欠点があった。さらに、ブラシ電極製造時において、保持部材のカシメ突き合わせ部加工時に複数の導電性繊維が巻き込まれ易く、カシメ後の複数の導電性繊維の束の形状が不安定で歪な形状になってしまう欠点や、複数の導電性繊維が保持部材から抜け落ちて脱落してしまう恐れがあった。
また、カシメ部の一端をしぼめ、幅広のブラシ形状にした場合、ブラシの先端面形状が長円形状になり、導電性繊維が広がった方向へのイオンの拡散性は高くなるが、しぼめた方向へのイオンの拡散性は乏しくなり、放電範囲に指向性ができてしまう欠点があった。
本発明の放電ブラシ電極は、前記問題点を解決することを目的としたものである。
【課題を解決するための手段】
【０００５】
上記目的を達成することができる本発明の第１発明は、請求項１に記載された放電ブラシ電極であり、次のようなものである。
高電圧が印加されてイオンを発生する放電電極として用いられるブラシ電極において、平板状金属板からなる基板に複数の導電性繊維の束を加締めるカシメ部を備え、前記複数の導電性繊維の根元部分を束ねて保持する保持部材において、該保持部材のカシメ部は前記導電性繊維を束ね当接する端部を内面側に面取りした構成である。ここで当接とは、保持部材のカシメ部の突合わせ部の端部同士が接し、複数の導電性繊維の束を保持できる状態を意味するものであって、突合わせ部の端部同士の一部が接していてもよい。【０００６】
上記目的を達成することができる本発明の第２発明は、請求項２に記載された放電ブラシ電極であり、次のようなものである。
請求項１に記載の発明に加えて、前記カシメ部は、前記導電性繊維を束ねる前記保持部材の側面部に１ヶ所以上絞り込み部を設けた構成である。【０００７】
上記目的を達成することができる本発明の第３発明は、請求項３に記載された放電ブラシ電極であり、次のようなものである。
請求項１、または請求項２に記載の発明に加えて、前記カシメ部は、前記導電性繊維を束ねる前記保持部材のカシメ部内面に凹凸加工を施した構成である。【０００８】
上記目的を達成することができる本発明の第４発明は、請求項４に記載された放電ブラシ電極であり、次のようなものである。
請求項１〜請求項３のいずれか１項に記載の発明に加えて、前記カシメ部は、前記導電性繊維を束ねる前記保持部材のカシメ部の突合わせ部の端部同士を前記平板状金属板の厚みと同様となるよう重複当接させた構成である。【０００９】
上記目的を達成することができる本発明の第５発明は、請求項５に記載された放電ブラシ電極であり、次のようなものである。
高電圧が印加されてイオンを発生する放電電極として用いられるブラシ電極において、平板状金属板からなる基板に複数の導電性繊維の束を加締めるカシメ部を備え、前記複数の導電性繊維の根元部分を束ねて保持する保持部材において、該保持部材のカシメ部は、前記導電性繊維を束ねる前記保持部材の側面部に１ヶ所以上の絞り込み部構造を有する構成である。【００１０】
上記目的を達成することができる本発明の第６発明は、請求項６に記載された放電ブラシ電極であり、次のようなものである。
高電圧が印加されてイオンを発生する放電電極として用いられるブラシ電極において、平板状金属板からなる基板に複数の導電性繊維の束を加締めるカシメ部を備え、前記導電性繊維の根元部分を束ねて保持する保持部材において、該保持部材のカシメ部は、前記導電性繊維を束ねる前記保持部材のカシメ部内面に凹凸加工を有する構成である。【００１１】
上記目的を達成することができる本発明の第７発明は、請求項７に記載された放電ブラシ電極であり、次のようなものである。
高電圧が印加されてイオンを発生する放電電極として用いられるブラシ電極において、平板状金属板からなる基板に複数の導電性繊維の束を加締めるカシメ部を備え、前記複数の導電性繊維の根元部分を束ねて保持する保持部材において、該保持部材のカシメ部は、前記導電性繊維を束ねる前記保持部材のカシメ部の突合わせ部の端部同士を前記平板状金属板の厚みと同様となるよう重複当接した構造を有する構成である。【００１２】
上記目的を達成することができる本発明の第８発明は、請求項８に記載された放電ブラシ電極であり、次のようなものである。
請求項１〜請求項７のいずれか１項に記載の発明に加えて、高電圧が印加されてイオンを発生する放電電極として用いられるブラシ電極において、平板状金属板からなる基板に複数の導電性繊維の束を加締めるカシメ部を備え、前記複数の導電性繊維を束ねて保持する保持部材において、該保持部材のカシメ部は前記導電性繊維の束の中央部を当接保持する構造を有する構成である。【００１３】
上記目的を達成することができる本発明の第９発明は、請求項９に記載された放電ブラシ電極であり、次のようなものである。
請求項１〜請求項８のいずれか１項に記載の発明に加えて、高電圧が印加されてイオンを発生する放電電極として用いられるブラシ電極において、平板状金属板からなる基板に複数の導電性繊維の束を加締めるカシメ部を備え、前記カシメ部が前記平板状金属板からなる基板に分岐し、複数個配置されている構造を有する構成である。【００１４】
上記目的を達成することができる本発明の第１０発明は、請求項１０に記載された放電ブラシ電極であり、次のようなものである。
請求項１〜請求項９のいずれか１項に記載の発明に加えて、前記導電性繊維が、少なくともカーボン繊維、ステンレス繊維、ニッケルチタン繊維、アモルファス繊維、タングステン繊維、化繊系導電性繊維のいずれかを含む構成である。【００１５】
上記目的を達成することができる本発明の第１１発明は、請求項１１に記載された放電ブラシ電極を備えたイオン発生装置であり、次のようなものである。
請求項１〜請求項１０までのいずれか１項に記載の放電ブラシ電極を備えたイオン発生装置の構成である。【００１６】
本発明に基づく放電ブラシ電極の製造方法は、請求項１２に記載された放電ブラシ電極の製造方法であり、次のようなものである。
高電圧が印加されてイオンを発生する放電電極として用いられるブラシ電極において、平板状金属板からなる基板に複数の導電性繊維を束状に加締めるカシメ部構造にプレス加工する工程と、前記複数の導電性繊維を加締め接合するカシメ部の保持部材の内面部に面取り加工をする工程と、保持部材の側面部に１ヶ所以上の絞り込み部を加工する工程と、保持部材のカシメ部内面に凹凸加工する工程と、保持部材のカシメ部の突合わせ部の端部同士を前記平板状金属板の厚みと同様となるよう重複当接される構造に加工する工程と、前記カシメ部の保持部材を加締め変形させることで、前記保持部材に前記複数の導電性繊維の根元部分を束ね保持させる工程と、保持した前記複数の導電性繊維を洗浄する工程により、電極を製造する構成である。
【発明の効果】
【００１７】
本発明に係る放電ブラシ電極、及び放電ブラシ電極の製造方法は、上記説明のような構成を有するので、以下に記載する効果を奏する。
（１）請求項１の構成にすることにより、複数の導電性繊維の根元部分は、保持部材のカシメ部で保持され、ブラシ状に延びている方向のカシメ部内側エッジの角ばっている部分が面取りされているために、複数の導電性繊維の撓りの繰返しにおいて角への接触を抑制できるので、複数の導電性繊維が切れ難くなり、複数の導電性繊維の繊維部分の耐久性向上が奏される。また、保持部材のカシメ部内側のエッジがないために、複数の導電性繊維の広がりをより大きくすることができる。さらに、保持部材のカシメ部内側のエッジが取り除かれていることにより、エッジの角に複数の導電性繊維が接触しないことで、カシメ合わせ部の隙間に導電性繊維が入り込み難くなり、導電性繊維の広がりの形状をより円に近い形状に保つことができる。また、イオン発生領域の拡張、発生量を増加させることができる。
（２）請求項２から請求項６の構成にすることにより、複数の導電性繊維の引抜強度を向上させることができ、複数の導電性繊維の抜けを抑制することができる。
（３）請求項４と請求項７の構成にすることにより、加締め時の複数の導電性繊維の巻き込みが防止できるものである。さらに、複数の導電性繊維の保持部材からはみ出すことを防止することができる。また、複数の導電性繊維の広がり形状をより円に近い形状に保つことができる。
（４）請求項８と請求項９の構成により、イオン放電領域をより広範囲に拡張、及び発生量の増加を奏することができる。
（５）請求項１０〜請求項１２の構成にすることにより、上記効果（１）〜（４）の全てを奏する放電ブラシ電極及びイオン発生装置を提供できる。
【発明を実施するための形態】
【００１８】
高電圧が印加されてイオンを発生する放電電極として用いられるブラシ電極において、平板状金属板からなる基板に複数の導電性繊維を束状に加締めるカシメ部構造にプレス加工する工程と、前記複数の導電性繊維を加締め接合するカシメ部の保持部材の内面部に面取り加工をする工程と、保持部材の側面部に１ヶ所以上の絞り込み部を加工する工程と、保持部材のカシメ部内面に凹凸加工する工程と、保持部材のカシメ部の突合わせ部を傾斜接合する加工工程と、前記カシメ部の保持部材を加締め変形させることで、前記保持部材に前記複数の導電性繊維の根元部分を束ね保持させる工程と、保持した前記複数の導電性繊維を洗浄する工程により、電極を製造する放電ブラシ電極である。
【図面の簡単な説明】
【００１９】
【図１】本発明の放電ブラシ電極を形成する平板状金属板からなる基板に複数の導電性繊維の束を加締めるカシメ部を設け、この複数の導電性繊維の根元部分を束ねて保持する保持部材のカシメ部において、複数の導電性繊維がブラシ状に延びている方向のカシメ部の内側面端部を面取りした状態の一実施例を示す（ａ）は概略カシメ部拡大正面図、（ｂ）はブラシ電極の概略正面図、（ｃ）はカシメ部を含めた保持部材の概略展開図である。
【図２】本発明の放電ブラシ電極を形成する平板状金属板からなる基板に複数の導電性繊維の束を加締めるカシメ部を設け、この複数の導電性繊維の根元部分を束ねて保持する保持部材のカシメ部において、複数の導電性繊維がブラシ状に延びている方向のカシメ部の内側面端部を面取りし、さらにカシメ部側面部に絞り込み部を形成した状態の一実施例を示す（ａ）は概略カシメ部拡大正面図、（ｂ）はブラシ電極の概略正面図、（ｃ）はカシメ部を含めた保持部材の概略展開図である。
【図３】本発明の放電ブラシ電極を形成する平板状金属板からなる基板に複数の導電性繊維の束を加締めるカシメ部を設け、この複数の導電性繊維の根元部分を束ねて保持する保持部材のカシメ部において、複数の導電性繊維がブラシ状に延びている方向のカシメ部の内側面端部を面取りし、さらに保持部材のカシメ部内面部に凹凸突起部を形成した状態の一実施例を示す（ａ）概略カシメ部拡大正面図、（ｂ）はブラシ電極の概略正面図、（ｃ）はカシメ部内面部に凹凸突起を設けた保持部材の概略展開図である。
【図４】本発明の放電ブラシ電極を形成する平板状金属板からなる基板に複数の導電性繊維の束を加締めるカシメ部を設け、この複数の導電性繊維の根元部分を束ねて保持する保持部材のカシメ部において、複数の導電性繊維がブラシ状に延びている方向のカシメ部の内側面端部を面取りし、カシメ部側面部に絞り込み部を形成し、カシメ部内部に凹凸突起を施し、さらにカシメ合わせ部を重複突き合せ（傾斜）させるように合わせた一実施例を示す（ａ）は保持部材の概略平面図、（ｂ）は保持部材の概略斜視図、（ｃ）は放電ブラシ電極の概略斜視図、（ｄ）は放電ブラシ電極の概略正面図である。
【図５】本発明の放電ブラシ電極を形成する平板状金属板からなる基板に複数の導電性繊維の束を加締めるカシメ部を設け、この複数の導電性繊維の根元部分を束ねて保持する保持部材のカシメ部内部に絞り込み部を形成した一実施例を示す（ａ）は概略カシメ部の拡大正面図、（ｂ）はブラシ電極の概略正面図である。
【図６】本発明の図３で説明した保持部材のカシメ部内部に施した凹凸突起の例として、例えば（ａ）は角度は任意であるが、斜め方向の凹凸突起を示す概略平面図、（ｂ）は横方向の凹凸突起を示す概略平面図、（ｃ）は斜め状のクロスの凹凸突起を示す概略平面図、（ｄ）は縦方向の凹凸突起を示す概略平面図、（ｅ）縦・横のクロスの凹凸突起を示す概略平面図、（ｆ）は保持部材に凹凸突起を施す状態を示す展開図、（ｇ）は保持部材のカシメ部内部に凹凸突起を形成した一実施例を示す概略斜視図である。
【図７】本発明の放電ブラシ電極を形成する平板状金属板からなる基板に複数の導電性繊維の束を加締めるカシメ部を設け、この複数の導電性繊維の根元部分を束ねて保持する保持部材のカシメ部において、突き合わせ端部同士を重複突合わせ（傾斜）し、図示するように重ね合わせ部の厚みは、保持部材の厚みと同一になるように加工して突合わせた状態の一実施例を示す（ａ）は概略上面図、（ｂ）は概略斜視図、（ｃ）はカシメ部を含めた保持部材の概略展開図である。
【図８】本発明の放電ブラシ電極の保持部材のカシメ部における重複重ね合せカシメ形状の実施形態の一実施例を示す概略上面図である。
【図９】従来のカシメ部におけるカシメ形状の例としての第一比較例を示す概略図で、（ａ）は概略正面図、（ｂ）は概略上面図、（ｃ）は展開図である。
【図１０】従来のカシメ部におけるカシメ形状の例としての第二比較例を示す概略図で、（ａ）は概略正面図、（ｂ）は概略上面図、（ｃ）は展開図である。
【図１１】従来のカシメ部におけるカシメ形状の例としての第三比較例を示すもので、（ａ）〜（ｆ）はその概略正面図である。
【図１２】従来技術の課題点の説明としての概略正面図で、（ａ）は非通電の状態、（ｂ）は通電時の状態、（ｃ）は保持部材のカシメ端内部の角の状態を示すものである。
【図１３】本発明と従来技術の効果差の説明図で、（ａ）は本発明の面取り構造のブラシ電極の概略正面図、（ｂ）は本発明のカシメ部の概略拡大正面図、（ｃ）は従来技術のブラシ電極の概略正面図、（ｄ）は従来技術のカシメ部の概略拡大正面図である。
【図１４】本発明と従来技術の効果差の説明図で、（ａ）は本発明の保持部材のカシメ部上部を面取りしたブラシ電極の概略正面図、（ｂ）は保持部材のカシメ部の概略拡大正面図、（ｃ）は従来の保持部材からなるブラシ電極の概略正面図である。
【図１５】本発明と従来技術の効果差の説明図で、（ａ）は本発明のブラシ電極の概略上面図、（ｂ）は本発明のブラシ電極の概略正面図、（ｃ）は本発明のブラシ電極のカシメ部のみを示す概略上面図、（ｄ）は従来技術のブラシ電極の概略上面図、（ｅ）は従来技術のブラシ電極の概略正面図、（ｆ）は従来技術のブラシ電極のカシメ部のみを示す概略上面図、（ｇ）は従来技術のブラシ電極のカシメ部概略拡大図である。
【図１６】本発明の導電性繊維中央部でカシメ、このカシメ部に対し両端にブラシを有するブラシ電極で、（ａ）は第１の概略正面図、（ｂ）はブラシの向きを任意の方向に変更可能である一具体例を示す概略斜視図である。
【図１７】本発明の導電性繊維中央部でカシメ、このカシメ部に対し両端にブラシを有するブラシ電極のその他の実施形態として任意の形状にしたもので、その１の（ａ）は概略正面図、（ｂ）はその概略斜視図、（ｃ）はその２の概略正面図、（ｄ）はその概略斜視図、（ｅ）はその１のブラシの向きを任意の方向に変更可能である一具体例を示す概略正面図、（ｆ）はその２のブラシの向きを任意の方向に変更可能である一具体例を示す概略斜視図である。
【図１８】本発明の実施形態で、カシメ部が一つの端子部から複数個に分岐したもので、（ａ）は２個に分岐した実施例の概略正面図、（ｂ）はその概略斜視図、（ｃ）は３個に分岐した実施例の概略正面図、（ｄ）はその概略斜視図、（ｅ）はカシメ部が１つの端子部から２個分岐した他の実施例で、ブラシの向きは任意に変更可能である一具体例を示す概略正面図、（ｆ）はその概略斜視図である。
【図１９】本発明のカシメ部のその他の実施例で、図１８の実施形態と較べて変形したもので、（ａ）はカシメ部が１つの端子部から２個分岐した実施例の概略正面図、（ｂ）はその概略斜視図、（ｃ）はカシメ部が１つの端子部から３個分岐した実施例の概略正面図、（ｄ）はその概略斜視図である。
【図２０】本発明の放電電極を用いたイオン発生装置の実施形態の一実施例で、（ａ）は実施例９として説明した分岐構造の放電ブラシ電極を用いたイオン発生装置を示す概略説明図、（ｂ）は単体の放電ブラシ電極を用いたイオン発生装置を示す概略説明図である。
【実施例１】
【００２０】
以下、本発明の放電ブラシ電極、特に端子型放電ブラシ電極の一実施例について図面に基づいて説明する。
放電ブラシ電極としては、イオンの高拡散性を得るために、導電性繊維を拡張させて広がるようにする必要があり、さらに放電ブラシ電極としては、放電時の導電性繊維の広がりの繰り返しや、製造時又は使用時での洗浄ブラッシング等により、導電性繊維が切れることや抜けが発生する。また、導電性繊維をブラシ状に束ねているカシメ部の不安定形状により、イオンの拡散領域に不均一性が生じる。この導電性繊維の切れ・抜け抑制、カシメ部の不安定形状の抑制が必要である。
先ず、端子型の放電ブラシ電極の製造方法の一実施例について説明する。
工程（１）として保持部材１の材料として金属板材（銅、真鍮等の銅合金、ステンレス等）にメッキを施したリールに巻き取ったロール状の板材と、複数の導電性繊維（例えば導電性繊維部）の材料として、例としてカーボン繊維２（以下、カーボン繊維という）を束状にして用意し、工程（２）として、保持部材１の内側端部を直線状、または円弧状等の面取りを施すものである。さらにこの面取りを施した保持部材１に外側側面部に絞り込み部を１ヶ所以上施し、内側内面部に凹凸突起を施し、さらに外形抜き｛この内にはカシメ合わせ部を傾斜（この形状は単に直線で斜めにカットしても、円弧状などのカーブをつけてカットしても良い）｝、及び曲げ加工のプレス加工とカーボン繊維２の束を保持部材１のカシメ部９に挿入し、さらにこのカーボン繊維２の束を、ダメージを与えない程度に締め付け加締める。このカシメ部９のカシメ形状は、図１〜図８に示すように具体的な実施例を図示したが、この実施例以外に、ニーズに合わせた、その他のカシメ形状を採用することは可能であることは云うまでもない。また、使用する金属板材において、腐食耐性を向上させるためメッキ等を施してもよい。工程（３）は、製品洗浄として、放電ブラシ電極３に付着している端子部の油分、端子部プレス加工時の金属くず、切断されたカーボン繊維２のくずなどを製品洗浄装置（超音波洗浄等）にて洗浄する。洗浄が完了した放電ブラシ電極３に定位置からエアー（温風でも良い）を噴射することにより乾燥を行う。工程（４）として、金属板材に取り付けられた多数形成された端子型の放電ブラシ電極３を巻き取り装置にてリールに連続的に巻き取り時に画像検査装置により正面、背面から撮影画像により放電ブラシ電極３の１本１本すべてについて規格寸法、及び外観検査を行う。工程（５）として、端子型の放電ブラシ電極３を１本ごとに切り離す。
この工程（１）〜（５）により、端子型放電ブラシ電極３の製造を行うものである。【００２１】
次に本発明の第一実施例である放電ブラシ電極を図１（ａ）〜（ｃ）に基づいて説明する。
前記した製造方法で製造した放電ブラシ電極３で、板状金属板からなる基板に複数の導電性繊維２の束を加締めるカシメ部９を設け、この複数の導電性繊維２の根元部分を束ねて保持する保持部材１において、該保持部材１のカシメ部９は、ブラシ状に延びている方向の端部の内面側を面取りした面取り部４を施してある。また、放電ブラシ電極３の導電性繊維２の材料としては、電極として機能するカーボン、ステンレス、ニッケルチタン、アモルファス、化繊系導電繊維等を使用してもよい。腐食耐性が高いカーボン繊維がより好ましい。【００２２】
次に、図２に基づいて第二実施例を説明する。
第一実施例の図１（ａ）、（ｂ）で説明したものと同様に形成されたものであるが、複数の導電性繊維２がブラシ状に延びている方向のカシメ部９の端部の内面側に面取り部４を形成し、請求項２に記載されたようにカシメ部９の外側から側面部に１ヶ所絞り込み部５を形成したものである。カシメ部外側側面部６の絞り込み部５は、カシメ部９の長さ形状に応じて、１ヶ所以上に絞り込み部５を形成することも可能である。【００２３】
次に、図３に基づいて、第三実施例を説明する。
この第三実施例は、第一実施例の図１（ａ）〜（ｃ）で説明した複数の導電性繊維２がブラシ状に延びている方向のカシメ部端部内面側に面取り部４を形成したもので、さらにカシメ部内面部に凹凸突起部７を形成したものである。【００２４】
次に、図４に基づいて第四実施例を説明する。
この第四実施例は、第一実施例の図１（ａ）〜（ｃ）で説明したものと同様に形成されたものであるが、複数の導電性繊維２がブラシ状に延びている方向のカシメ部端部内面側に面取り部４を形成し、第二実施例と同様にカシメ部９の外側から側面部に１ヶ所絞り込みを形成し、さらに第三実施例と同様にカシメ部内部の一部に凹凸突起部７を形成し、さらにカシメ部９の突合わせ部８を重ね合せるよう重複当接し、重ね合せ部の厚みは、保持部材１の厚みと同一になるように加工したものである。尚、１０は端子部を示す。【００２５】
次に、第五実施例について説明する。
第五実施例は絞り込み部を形成する実施例で、図５（ａ）、（ｂ）で示すように、図２で説明されているものと同様に形成されたものであるが、カシメ部の端部内面側に面取り部は形成されておらず、カシメ部外側側面部６に絞り込み部５のみを設けた実施例である。【００２６】
次に、第六実施例について説明する。
第六実施例は凹凸突起部を形成する実施例で、図６（ｇ）で示すように、図３で説明されているものと同様に形成されたものであるが、カシメ部の端部内面側に面取り部は形成されておらず、カシメ部内面部に凹凸突起部７のみを設けた実施例である。
この凹凸突起の一形状であるローレット加工を施した形状についていくつかの具体例を図６（ａ）〜（ｅ）に示す。
これらのローレット加工の加工方法はあくまでも一例であり、凹凸突起を形成させる加工方法について特に限定はないが、量産性を考慮すると、ローレット加工方法が好ましいものである。
（ａ）に示したものは、角度は任意であるが、斜め方向の多数の溝を形成した例、（ｂ）に示すものは、横方向の多数の溝を形成した例、（ｃ）に示すものは、斜めにクロスする多数の溝を形成した例、（ｄ）に示すものは、縦方向に多数の溝を形成した例、（ｅ）は縦横にクロス溝を多数形成した例を示す。
また、具体的なローレット加工の形状は、（ａ）〜（ｅ）までを示したが、他にも種々考えられる。この（ａ）〜（ｅ）のローレット加工は、保持部材１に図６（ｆ）の展開図で示すように加工を施すものである。【００２７】
次に、図７に基づいて第七実施例を説明する。
この第七実施例は、第一実施例の図１（ａ）〜（ｃ）で説明したものと同様に形成されたものであるが、複数の導電性繊維２がブラシ状に延びている方向のカシメ部端部内面側の面取り部４は形成されていないが、カシメ部９の突合わせ部８を図７（ａ）、（ｂ）に示すように重ね合せるよう重複当接し、重ね合せ部の厚みは、保持部材１の厚みと同一になるように形成したものである。なお、（ｃ）の展開図に示すようにカシメ突合わせ部８の重複重ね合せ部は（傾斜の場合の一例）、重ね合せ部の厚みは、保持部材１の厚みと同一になるように加工してある。【００２８】
次に、図８に基づいて説明すると、図７（ａ）、（ｂ）、（ｃ）で示すカシメ部９の突合わせ部８を傾斜形状に換えて、突合わせ部の形状は、段部を形成した第七実施例の変形例を示したカシメ部の上面図である。突合わせ部８の重ね合わさる部分の厚みは、保持部材１の厚みと同一に加工してあれば、突合わせ部８の形状は傾斜、Ｌ型等、種々考えられる。
この重複突合わせ形状にすることの目的効果は、放電ブラシ電極製造時及び使用時において、束ねる導電性繊維２のはみ出しを抑え、ブラシ電極の品質安定化、長期間使用時の束形状の安定化が期待できるものである。【００２９】
次に、図１６に基づいて第八実施例について説明する。
図１６（ａ）に示すように導電性繊維の束を略倍の長さにして中央部で、前記導電性繊維の束を加締めるカシメ部を備え、２方向に放電できるようにした放電ブラシ電極の実施例である。
なお、２方向に放電できるようにした放電ブラシ電極の向きは、図１６（ｂ）に示すように、イオンを放出したい方向に応じて平板上金属板の保持部材で保持されたカシメ部を任意の角度形状にすることも可能である。【００３０】
次に、図１７に基づいて説明すると、図１７（ａ）、（ｃ）は、第八実施例での導電性繊維の束を保持しているカシメ部の平板上金属板の保持部材の形状の変形例を示した図である。このように、１つのカシメ部に対して２方向に放電領域を広げることが可能となる。【００３１】
次に、図１８に基づいて第九実施例を説明する。
この第九実施例は、図１８（ａ）、（ｃ）に示すように、導電性繊維の束を保持したカシメ部を、平板上金属板の保持部材に２又以上、数又に複数分岐した実施例である。また、図１８（ｆ）に示すように、イオンを放出したい方向に応じて平板上金属板の保持部材で保持されたカシメ部を任意の角度形状にすることも可能である。【００３２】
次に、図１９に基づいて説明すると、図１９（ａ）、（ｃ）は、導電性繊維の束を保持したカシメ部を、平板上金属板の保持部材に２又以上、数又に複数分岐した第九実施例の分岐部分の変形例を示した図である。図１８、図１９に示すように、１つの端子型の平板金属板の保持部材に複数個のカシメ部が分岐した構成により、１つの放電ブラシ電極において、コンパクトな形態にて、放電範囲を任意の方向により広げられることが可能となる。【００３３】
また、複数の導電性繊維、例えばカーボン繊維の根元側の部分を束ねて保持する保持部材の形状は、従来から公知の図９〜図１１に示すように各種の保持部材も考えられる。具体的な形状は図９〜図１１を参照すれば構造は明確なものである。【００３４】
次に、本発明と従来技術の効果差について図１２〜図１５に基づいて説明する。
先ず、図１２に基づいて従来技術の課題点を説明すると、（ａ）が非放電時（非通電時）の状態で、（ｂ）は放電時（通電時）を示すが、（ｃ）に示すようにブラシ電極保持部材のカシメ端内部の角（エッジ）が存在するため、放電時は、複数の導電性繊維が電気的反発により大きく撓み、イオンを広い範囲に拡散する。この放電と非放電を長期的に繰り返すと、導電性繊維を束ねて加締めているカシメ端内部の角（エッジ）へ接触、擦れの繰り返しで導電繊維の切れが発生する場合がある。
ここで、図１３で示すように、本発明の保持部材の複数の導電性繊維がブラシ状に延びている方向のカシメ部内側端部の面取りを設けた構造効果の差異は、以下の通りである。
（ａ）、（ｂ）で示すように、保持部材のカシメ部内面端部が面取りされているため、放電時に繊維が広がるカシメ上端部の内壁に角（エッジ）がなく、放電の繰り返しによる導電繊維切れの発生が抑制できるので、耐久性向上が奏される。さらに、ブラシ電極の導電性繊維先端部が円形状に大きく広がり、放電領域を広くできる。
これに対して、（ｃ）、（ｄ）で示す従来技術（比較例１）では、上記説明のように、カシメ部内壁の角（エッジ）部が放電の繰り返しによる導電繊維切れが発生することを抑制することが難しい。【００３５】
次に、図１４に基づいて本発明と従来技術の違いを説明する。
引用文献４の特開２０１７−１４４２４４号公報の図８に示すように、この従来技術は、ブラシ先端部を長円形に広げる従来技術であるが、繊維の広がり方向のみ放電領域が拡張し、放電領域の指向性が出てしまう。一方本発明のカシメ構造では、繊維端部が円周方向に均一に広がり、放電時のイオンの拡散性が均一に広くできる。【００３６】
次に、図１５（ａ）〜（ｃ）で示すように、本発明の第七実施例に示すカシメ部９の突合わせ部に略円弧状の傾斜を形成された突合わせ部８は、導電性繊維２がはみ出す隙間が生じることがない。図１５（ａ）の放電ブラシ電極上面図に示すように導電性繊維２の束が円形に保たれる。一方、従来技術の図１５（ｄ）〜（ｇ）に示したものは、保持部材１のカシメ部突合わせ部がフラットの場合（突合わせ部の端部同士が重複せずに、平らな面同士で当接）、導電性繊維２の束をカシメ保持する製造時に当接している突合わせ部の間に導電性繊維が巻き込まれ、はみ出す等、図１５（ａ）で示すように安定的な導電性繊維の束の形状を得ることが難しいという課題があった。また、洗浄ブラッシング時や、放電の繰り返し時において広がった導電性繊維２が、突合わせ部の間に入り込み導電性繊維の束の形状が不安定になりイオンの拡散性が不均一になる課題もあった。【００３７】
ここで、本発明の放電ブラシ電極を用いたイオン発生装置を説明する。
図２０（ａ）に示すように、発生イオンの拡散領域の拡大と、発生イオンのイオン発生密度を増大させる実施例で、第九実施例で説明した２つに分岐した構造の放電ブラシ電極３を用いたイオン発生装置である。（ｂ）に示すものは、単体の放電ブラシ電極を用いたイオン発生装置である。尚、１１は高圧電源を示す。
本発明の放電電極を用いたイオン発生装置の場合、コンパクトな放電ブラシ電極で、イオンを広範囲に拡散でき、長期間の使用においても導電性繊維の切れや抜けを抑制した長期耐久性のあるイオン発生装置を提供することが可能となる。【００３８】
ここで、表１に本発明の放電ブラシ電極の具体的実施例における効果の比較を一覧表にしたものを示す。各効果における記号定義は、◎＞○＞△の順で効果差があることを示している。
【表１】
2021124589.tif 000003
【産業上の利用可能性】
【００３９】
本発明は、放電ブラシ電極が設けられた放電を利用する機器であれば、各種分野の機器で利用することができる。
【符号の説明】
【００４０】
１・・・・保持部材
２・・・・導電性繊維
３・・・・放電ブラシ電極
４・・・・面取り部
５・・・・絞り込み部
６・・・・カシメ部外側側面部
７・・・・凹凸突起部
８・・・・突合わせ部
９・・・・カシメ部
１０・・・・端子部
１１・・・・高圧電源
【図１】
2021124589.tif 000004
【図２】
2021124589.tif 000005
【図３】
2021124589.tif 000006
【図４】
2021124589.tif 000007
【図５】
2021124589.tif 000008
【図６】
2021124589.tif 000009
【図７】
2021124589.tif 000010
【図８】
2021124589.tif 000011
【図９】
2021124589.tif 000012
【図１０】
2021124589.tif 000013
【図１１】
2021124589.tif 000014
【図１２】
2021124589.tif 000015
【図１３】
2021124589.tif 000016
【図１４】
2021124589.tif 000017
【図１５】
2021124589.tif 000018
【図１６】
2021124589.tif 000019
【図１７】
2021124589.tif 000020
【図１８】
2021124589.tif 000021
【図１９】
2021124589.tif 000022
【図２０】
2021124589.tif 000023
【手続補正書】
【提出日】令和2年6月17日(2020.6.17)
【手続補正１】
【補正対象書類名】特許請求の範囲
【補正対象項目名】全文
【補正方法】変更
【補正の内容】
【特許請求の範囲】
【請求項１】
高電圧が印加されてイオンを発生する放電電極として用いられるブラシ電極において、平板状金属板からなる基板に複数の導電性繊維の束を加締めるカシメ部を備え、前記複数の導電性繊維の根元部分を束ねて保持する保持部材において、該保持部材のカシメ部は前記導電性繊維を束ね当接する端部を内面側に面取りしたことを特徴とする放電ブラシ電極。
【請求項２】
前記カシメ部は、前記導電性繊維を束ねる前記保持部材の側面部に１ヶ所以上絞り込み部を設けたことを特徴とする請求項１記載の放電ブラシ電極。
【請求項３】
前記カシメ部は、前記導電性繊維を束ねる前記保持部材のカシメ部内面に凹凸加工を施したことを特徴とする請求項１、または請求項２に記載の放電ブラシ電極。
【請求項４】
前記カシメ部は、前記導電性繊維を束ねる前記保持部材のカシメ部の突合わせ部の端部同士を前記平板状金属板の厚みと同様となるように重複当接させたことを特徴とする請求項１〜請求項３のいずれか１項に記載の放電ブラシ電極。
【請求項５】
（削除）
【請求項６】
（削除）
【請求項７】
高電圧が印加されてイオンを発生する放電電極として用いられるブラシ電極において、平板状金属板からなる基板に複数の導電性繊維の束を加締めるカシメ部を備え、前記複数の導電性繊維の根元部分を束ねて保持する保持部材において、該保持部材のカシメ部は、前記導電性繊維を束ねる前記保持部材のカシメ部の突合わせ部の端部同士を前記平板状金属板の厚みと同様となるように重複当接した構造を有することを特徴とする放電ブラシ電極。
【請求項８】
高電圧が印加されてイオンを発生する放電電極として用いられるブラシ電極において、平板状金属板からなる基板に複数の導電性繊維の束を加締めるカシメ部を備え、前記複数の導電性繊維を束ねて保持する保持部材において、該保持部材のカシメ部は前記導電性繊維の束の中央部を当接保持したことを特徴とする請求項１から請求項７までのいずれか１項に記載の放電ブラシ電極。
【請求項９】
高電圧が印加されてイオンを発生する放電電極として用いられるブラシ電極において、平板状金属板からなる基板に複数の導電性繊維の束を加締めるカシメ部を備え、前記カシメ部が前記平板状金属板からなる基板に分岐し、複数個配置されていることを特徴とする請求項１から請求項８までのいずれか１項に記載の放電ブラシ電極。
【請求項１０】
前記導電性繊維が、少なくともカーボン繊維、ステンレス繊維、ニッケルチタン繊維、アモルファス繊維、タングステン繊維、化繊系導電性繊維のいずれかを含むことを特徴とする請求項１〜請求項９のいずれか１項に記載の放電ブラシ電極。
【請求項１１】
請求項１から請求項１０のいずれか１項に記載の放電ブラシ電極を備えたイオン発生装置。
【請求項１２】
高電圧が印加されてイオンを発生する放電電極として用いられるブラシ電極において、平板状金属板からなる基板に複数の導電性繊維を束状に加締めるカシメ部構造にプレス加工する工程と、前記複数の導電性繊維を加締め当接するカシメ部の保持部材の内面部に面取り加工をする工程と、前記保持部材の側面部に１ヶ所以上の絞り込み部を加工する工程と、前記保持部材のカシメ部内面に凹凸加工する工程と、前記保持部材のカシメ部の突合わせ部の端部同士を前記平板状金属板の厚みと同様となるように重複当接される構造に加工する工程と、前記カシメ部の保持部材を加締め変形させることで、前記保持部材に前記複数の導電性繊維の根元部分を束ね保持させる工程と、保持した前記複数の導電性繊維を洗浄する工程により、電極を製造することを特徴とする放電ブラシ電極の製造方法。
【手続補正２】
【補正対象書類名】明細書
【補正対象項目名】０００４
【補正方法】変更
【補正の内容】
【０００４】
請求項１に記載の発明に加えて、前記カシメ部は、前記導電性繊維を束ねる前記保持部材の側面部に１ヶ所以上絞り込み部を設けた構成である。
［０００７］
上記目的を達成することができる本発明の第３発明は、請求項３に記載された放電ブラシ電極であり、次のようなものである。
請求項１、または請求項２に記載の発明に加えて、前記カシメ部は、前記導電性繊維を束ねる前記保持部材のカシメ部内面に凹凸加工を施した構成である。
［０００８］
上記目的を達成することができる本発明の第４発明は、請求項４に記載された放電ブラシ電極であり、次のようなものである。
請求項１〜請求項３のいずれか１項に記載の発明に加えて、前記カシメ部は、前記導電性繊維を束ねる前記保持部材のカシメ部の突合わせ部の端部同士を前記平板状金属板の厚みと同様となるよう重複当接させた構成である。
［０００９］
［００１０］
［００１１］
上記目的を達成することができる本発明の第７発明は、請求項７に記載された放電ブラシ電極であり、次のようなものである。
【手続補正３】
【補正対象書類名】明細書
【補正対象項目名】０００７
【補正方法】変更
【補正の内容】
【０００７】
繊維の広がりの形状をより円に近い形状に保つことができる。また、イオン発生領域の拡張、発生量を増加させることができる。
（２）請求項２から請求項４の構成にすることにより、複数の導電性繊維の引抜強度を向上させることができ、複数の導電性繊維の抜けを抑制することができる。
（３）請求項４と請求項７の構成にすることにより、加締め時の複数の導電性繊維の巻き込みが防止できるものである。さらに、複数の導電性繊維の保持部材からはみ出すことを防止することができる。また、複数の導電性繊維の広がり形状をより円に近い形状に保つことができる。
（４）請求項８と請求項９の構成により、イオン放電領域をより広範囲に拡張、及び発生量の増加を奏することができる。
（５）請求項１０〜請求項１２の構成にすることにより、上記効果（１）〜（４）の全てを奏する放電ブラシ電極及びイオン発生装置を提供できる。
発明を実施するための形態
［００１８］
高電圧が印加されてイオンを発生する放電電極として用いられるブラシ電極において、平板状金属板からなる基板に複数の導電性繊維を束状に加締めるカシメ部構造にプレス加工する工程と、前記複数の導電性繊維を加締め接合するカシメ部の保持部材の内面部に面取り加工をする工程と、保持部材の側面部に１ヶ所以上の絞り込み部を加工する工程と、保持部材のカシメ部内面に凹凸加工する工程と、保持部材のカシメ部の突合わせ部を傾斜接合する加工工程と、前記カシメ部の保持部材を加締め変形させることで、前記保持部材に前記複数の導電性繊維の根元部分を束ね保持させる工程と、保持した前記複数の導電性繊維を洗浄する工程により、電極を製造する放電ブラシ電極である。
図面の簡単な説明
［００１９］
［図１］本発明の放電ブラシ電極を形成する平板状金属板からなる基板に複数の導電性繊維の束を加締めるカシメ部を設け、この複数の導電性繊維の根元部分を束ねて保持する保持部材のカシメ部において、複数の導電性繊維がブラ
【手続補正４】
【補正対象書類名】明細書
【補正対象項目名】０００８
【補正方法】変更
【補正の内容】
【０００８】
シ状に延びている方向のカシメ部の内側面端部を面取りした状態の一実施例を示す（ａ）は概略カシメ部拡大正面図、（ｂ）はブラシ電極の概略正面図、（ｃ）はカシメ部を含めた保持部材の概略展開図である。
［図２］本発明の放電ブラシ電極を形成する平板状金属板からなる基板に複数の導電性繊維の束を加締めるカシメ部を設け、この複数の導電性繊維の根元部分を束ねて保持する保持部材のカシメ部において、複数の導電性繊維がブラシ状に延びている方向のカシメ部の内側面端部を面取りし、さらにカシメ部側面部に絞り込み部を形成した状態の一実施例を示す（ａ）は概略カシメ部拡大正面図、（ｂ）はブラシ電極の概略正面図、（ｃ）はカシメ部を含めた保持部材の概略展開図である。
［図３］本発明の放電ブラシ電極を形成する平板状金属板からなる基板に複数の導電性繊維の束を加締めるカシメ部を設け、この複数の導電性繊維の根元部分を束ねて保持する保持部材のカシメ部において、複数の導電性繊維がブラシ状に延びている方向のカシメ部の内側面端部を面取りし、さらに保持部材のカシメ部内面部に凹凸突起部を形成した状態の一実施例を示す（ａ）概略カシメ部拡大正面図、（ｂ）はブラシ電極の概略正面図、（ｃ）はカシメ部内面部に凹凸突起を設けた保持部材の概略展開図である。
［図４］本発明の放電ブラシ電極を形成する平板状金属板からなる基板に複数の導電性繊維の束を加締めるカシメ部を設け、この複数の導電性繊維の根元部分を束ねて保持する保持部材のカシメ部において、複数の導電性繊維がブラシ状に延びている方向のカシメ部の内側面端部を面取りし、カシメ部側面部に絞り込み部を形成し、カシメ部内部に凹凸突起を施し、さらにカシメ合わせ部を重複突き合せ（傾斜）させるように合わせた一実施例を示す（ａ）は保持部材の概略平面図、（ｂ）は保持部材の概略斜視図、（ｃ）は放電ブラシ電極の概略斜視図、（ｄ）は放電ブラシ電極の概略正面図である。
［図５］本発明の放電ブラシ電極を形成する平板状金属板からなる基板に複数の導電性繊維の束を加締めるカシメ部を設け、この複数の導電性繊維の根元部分を束ねて保持する保持部材のカシメ部側面部に絞り込み部を形成した一実施
【手続補正５】
【補正対象書類名】明細書
【補正対象項目名】０００９
【補正方法】変更
【補正の内容】
【０００９】
例を示す（ａ）は概略カシメ部の拡大正面図、（ｂ）はブラシ電極の概略正面図である。
［図６］本発明の図３で説明した保持部材のカシメ部内部に施した凹凸突起の例として、例えば（ａ）は角度は任意であるが、斜め方向の凹凸突起を示す概略平面図、（ｂ）は横方向の凹凸突起を示す概略平面図、（ｃ）は斜め状のクロスの凹凸突起を示す概略平面図、（ｄ）は縦方向の凹凸突起を示す概略平面図、（ｅ）縦・横のクロスの凹凸突起を示す概略平面図、（ｆ）は保持部材に凹凸突起を施す状態を示す展開図、（ｇ）は保持部材のカシメ部内部に凹凸突起を形成した一実施例を示す概略斜視図である。
［図７］本発明の放電ブラシ電極を形成する平板状金属板からなる基板に複数の導電性繊維の束を加締めるカシメ部を設け、この複数の導電性繊維の根元部分を束ねて保持する保持部材のカシメ部において、突き合わせ端部同士を重複突合わせ（傾斜）し、図示するように重ね合わせ部の厚みは、保持部材の厚みと同一になるように加工して突合わせた状態の一実施例を示す（ａ）は概略上面図、（ｂ）は概略斜視図、（ｃ）はカシメ部を含めた保持部材の概略展開図である。
［図８］本発明の放電ブラシ電極の保持部材のカシメ部における重複重ね合せカシメ形状の実施形態の一実施例を示す概略上面図である。
［図９］従来のカシメ部におけるカシメ形状の例としての第一比較例を示す概略図で、（ａ）は概略正面図、（ｂ）は概略上面図、（ｃ）は展開図である。
［図１０］従来のカシメ部におけるカシメ形状の例としての第二比較例を示す概略図で、（ａ）は概略正面図、（ｂ）は概略上面図、（ｃ）は展開図である。
［図１１］従来のカシメ部におけるカシメ形状の例としての第三比較例を示すもので、（ａ）〜（ｆ）はその概略正面図である。
［図１２］従来技術の課題点の説明としての概略正面図で、（ａ）は非通電の状態、（ｂ）は通電時の状態、（ｃ）は保持部材のカシメ端内部の角の状態を示すものである。
【国際調査報告】
2021124589.tif 000024
2021124589.tif 000025
2021124589.tif 000026
2021124589.tif 000027
2021124589.tif 000028